(57)【特許請求の範囲】
【請求項１】
内容物通路部および内容物放出口を備えた放出作動用部材に対する保護機能と内容物放出操作機能とを持つ鞘状のカバーキャップが、当該放出作動用部材に取り付けられたまま、容器本体に対する内容物放出操作不可のロック基準位置と内容物放出操作可のロック解除位置との間で回動できる、回動カバーキャップ式の内容物放出機構において、
前記放出作動用部材は、
前記カバーキャップが上方に抜けるのを防止するための係止部を備え、
前記カバーキャップは、
前記内容物放出操作の対象となる操作部と、
当該カバーキャップの回動を許容する態様で前記係止部に係止される被係止部と、
前記ロック基準位置において前記容器本体の上面に当接保持されることにより、当該カバーキャップの下方への内容物放出操作を阻止するための被保持部と、
前記容器本体の上面に対応し、かつ、当該カバーキャップがその前記ロック基準位置から前記ロック解除位置へと回動操作されることにより、当該上面の外側にはみ出す形の周方向下端部分と、
前記ロック解除位置において前記内容物放出口に対向する内容物放出用の開口部と、
前記ロック解除位置における前記内容物放出操作にともなう当該カバーキャップの下方への移動に必要な空間域を確保するため、下端側に、当該移動の際に容器本体上部との当たりを避ける態様で形成された切欠状部と、
前記容器本体の外周面に当接して前記ロック基準位置および前記ロック解除位置を個々に設定するための位置設定部と、を備え、
前記容器本体は、
前記ロック基準位置の前記被保持部を受けて、前記カバーキャップの下方への移動を阻止するための保持部を備え、
前記位置設定部は、
前記ロック基準位置において前記容器本体の第一の外周面部分と当接する第一の設定面および、前記ロック解除位置において前記容器本体の第二の外周面部分と当接する第二の設定面を備えた片部であり、
前記片部は、
前記カバーキャップの、前記切欠状部から周方向に続く外周面下端側に形成された縦方向片部であり、
前記第一の設定面は、
前記縦方向片部の内面部分であり、
前記第二の設定面は、
前記縦方向片部の、前記切欠状部に近い方の縦方向側面部分である、
ことを特徴とする回動カバーキャップ式の内容物放出機構。
【請求項２】
前記容器本体は、
前記放出作動用部材が所定の周方向位置関係で組み込まれるネジキャップと螺子結合する筒状首部と、
当該螺子結合の最終段階において当該ネジキャップの一部分と当接することにより前記内容物放出口を前向き状態に設定する態様の周方向位置特定部と、を備えている、
ことを特徴とする請求項１に記載の回動カバーキャップ式の内容物放
【請求項３】
請求項１または請求項２に記載の回動カバーキャップ式の内容物放出機構を備え、かつ、前記容器本体に内容物を収容した、
ことを特徴とするポンプ式製品。
【請求項４】
請求項１に記載の回動カバーキャップ式の内容物放出機構を備え、かつ、前記容器本体に噴射用ガスおよび内容物を収容した、
ことを特徴とするエアゾール式製品。
【発明の詳細な説明】
【技術分野】
【０００１】
本発明は、ポンプ式製品およびエアゾール式製品を対象としたカバーキャップ回動式の内容物放出機構に関する。
【０００２】
特に内容物通路部および内容物放出口を備えた放出作動用部材に対する保護機能および内容物放出操作機能を持ち、かつ当該内容物放出口に対応した開口部を有する鞘状のカバーキャップが、当該放出作動用部材に取り付けられたまま、容器本体に対する内容物放出操作不可のロック基準位置と内容物放出操作可のロック解除位置との間で回動できる、回動カバーキャップ式の内容物放出機構に関する。
【０００３】
ここで容器本体の上面およびこれに対応したカバーキャップの周方向下端部分は、例えば互いに略同一の周回輪郭を有し、かつ、当該カバーキャップをそのロック基準位置からロック解除位置まで周方向に回動操作することにより当該周方向下端部分の一部が当該縁部分の外側にはみ出す形状（楕円形状など）からなっている。
【０００４】
そして、
(11)カバーキャップのロック基準位置では、容器本体の上面とカバーキャップの周方向下端部分との当接作用により、カバーキャップの下方移動操作（内容物放出操作）が阻止され、
(12)カバーキャップ回動操作後のロック解除位置では、上記(11)の当接作用が生じず、カバーキャップの内容物放出用の下方移動操作が可能となる。
【０００５】
本明細書においては、内容物放出口の側を「前」とし、これとは反対方向の側を「後」とする。すなわち図３および図５の左側が「前」で右側が「後」となる。
【０００６】
カバーキャップおよび容器本体などの上下方向を「縦方向」とし、これら前後方向および上下方向の双方と直交する方向を「横方向」とする。なお、前後方向は上記楕円形状の長径方向に略一致し、横方向は当該楕円形状の短径方向に略一致する。
【０００７】
また、カバーキャップの周方向回動操作とは容器本体（放出作動用部材）との間の相対的な操作であって、利用者がカバーキャップ固定状態で容器本体を回動する場合も当該回動操作に含まれる。
【０００８】
このような放出作動用部材に対するカバーキャップの周方向回動操作によりそのロック基準位置（内容物放出操作不可）とロック解除位置（内容物放出操作可）との間を移行する内容物放出機構において、これら各位置へカバーキャップを設定保持するための機構部分の簡単化を図ることが望ましく、本発明はこのような要請に応えるものである。
【背景技術】
【０００９】
従来、内容物放出口を備えた放出作動用部材のカバーキャップの周方向回動操作により、当該カバーキャップが、そのロック基準位置（内容物放出操作不可）とロック解除位置（内容物放出操作可）との間を移動する形の内容物放出機構が提案されている（例えば、特許文献１参照）。
【００１０】
この内容物放出機構はエアゾール式製品に関するものであって、
(21)放出作動用部材を含むベース[60]（本発明のネジキャップ，マウンティングキャップに対応）および、当該ベースに取り付けられて周方向への回動操作が可能な作動ボタン[70]（本発明のカバーキャップに対応）を備え、
(22)ベース[60]および作動ボタン[70]の各外周面は略同一円形状の横断面からなり、
(23)ベース[60]に対する作動ボタン[70]の周方向回動操作により、内容物放出操作（当該作動ボタンの押し下げ傾動操作）ができないロック基準位置と、当該内容物放出操作が可能なロック解除位置とに選択的に設定され、
(24)このロック基準位置およびロック解除位置を個々に特定するための構成として、
・ベース[60]には、ロック位置ストップ[132]およびロック解除ストップ[131]を設け、
・作動ボタン[70]には、ロック位置ストップ[132]に対応したボタン位置ストップ[172]および、ロック解除ストップ[131]に対応したボタン位置ストップ[171]を設けている。
【先行技術文献】
【特許文献】
【００１１】
【特許文献１】特開２００９−１７３３５０号公報
【発明の概要】
【発明が解決しようとする課題】
【００１２】
このように、従来のベース[60]（本発明のネジキャップ，マウンティングキャップに相当）に対する作動ボタン[70]（本発明のカバーキャップに相当）の周方向回動操作により、この作動ボタンが、内容物放出操作不可のロック基準位置と内容物放出操作可のロック解除位置とに設定される内容物放出機構の場合、これらロック基準位置およびロック解除位置を個々に特定するための構成要素が当該ベースおよび当該作動ボタンのそれぞれに形成されている。
【００１３】
すなわち上記(24)で記したように、ベース[60]にはロック位置ストップ[132]およびロック解除ストップ[131]が形成され、作動ボタン[70]にはボタン位置ストップ[172]およびボタン位置ストップ[171]が形成されている。
【００１４】
そのため、これらのベース[60]（本発明のネジキャップ，マウンティングキャップに相当）および作動ボタン[70]（本発明のカバーキャップに相当）からなる内容物放出機構全体の、生産工程の煩雑化や生産コストのアップ化を招くという問題点があった。
【００１５】
本発明は、容器本体の上面およびこれに対応するカバーキャップの周方向下端部分の周回輪郭形状が、上述のロック基準位置からロック解除位置への回動操作により当該周方向下端部分の一部が容器本体上面の外側にはみ出すように設定されている場合、このカバーキャップのはみ出し部分にロック基準位置，ロック解除位置の位置設定部を形成すれば、その係止相手として容器本体自体が元々備えている外周面を利用できることに着目したものである。
【００１６】
すなわち、カバーキャップに形成した位置設定部の係止相手部分をネジキャップ，マウンティングキャップなどに何ら設ける必要がない点に着目した、回動カバーキャップ式の内容物放出機構である。
【００１７】
なお、本発明の対象となりえる、容器本体の上面やカバーキャップの周方向下端部分の周回輪郭形状は、「楕円状」，「多角形状」，「ハート形状」など各種の「円以外」の形状である。
【００１８】
本発明は、内容物放出用開口部が形成されたカバーキャップを、その周方向回動操作に基づくロック基準位置（内容物放出操作不可）とロック解除位置（内容物放出操作可）とに選択的に設定保持する、ための構造部分の簡単化を図ることを目的とする。
【課題を解決するための手段】
【００１９】
本発明は、以上の課題を次のようにして解決する。
（１）内容物通路部（例えば後述の内容物通路部３ａ）および内容物放出口（例えば後述の内容物放出口４ａ）を備えた放出作動用部材（例えば後述のボタン部材３，ノズル４）に対する保護機能と内容物放出操作機能とを持つ鞘状のカバーキャップ（例えば後述のカバーキャップ２）が、当該放出作動用部材に取り付けられたまま、容器本体（例えば後述の容器本体１）に対する内容物放出操作不可のロック基準位置と内容物放出操作可のロック解除位置との間で回動できる、回動カバーキャップ式の内容物放出機構において、
前記放出作動用部材は、
前記カバーキャップが上方に抜けるのを防止するための係止部（例えば後述の周方向突状部３ｃ）を備え、
前記カバーキャップは、
前記内容物放出操作の対象となる操作部（例えば後述の押圧操作面２ｂ）と、
当該カバーキャップの回動を許容する態様で前記係止部に係止される被係止部（例えば後述の環突状部２ｍ）と、
前記ロック基準位置において前記容器本体の上面（例えば後述の容器本体上面１ａ）に当接保持されることにより、当該カバーキャップの下方への内容物放出操作を阻止するための被保持部（例えば後述の下端面２ａ）と、
前記容器本体の上面（例えば後述の容器本体上面１ａ）に対応し、かつ、当該カバーキャップがその前記ロック基準位置から前記ロック解除位置へと回動操作されることにより、当該上面の外側にはみ出す形の周方向下端部分（例えば後述の下端面２ａ）と、
前記ロック解除位置において前記内容物放出口に対向する内容物放出用の開口部（例えば後述の単一開口部２ｎ）と、
前記ロック解除位置における前記内容物放出操作にともなう当該カバーキャップの下方への移動に必要な空間域を確保するため、下端側に、当該移動の際に容器本体上部との当たりを避ける態様で形成された切欠状部（例えば後述の長方形切欠状部２ｄ）と、
前記容器本体の外周面に当接して前記ロック基準位置および前記ロック解除位置を個々に設定するための位置設定部（例えば後述の縦方向片部２ｅ）と、を備え、
前記容器本体は、
前記ロック基準位置の前記被保持部を受けて、前記カバーキャップの下方への移動を阻止するための保持部（例えば後述の容器本体上面１ａ）を備え、
前記位置設定部は、
前記ロック基準位置において前記容器本体の第一の外周面部分と当接する第一の設定面（例えば後述のロック基準設定面２ｆ）および、前記ロック解除位置において前記容器本体の第二の外周面部分と当接する第二の設定面（例えば後述のロック解除設定面２ｇ）を備えた片部であり、
前記片部は、
前記カバーキャップの、前記切欠状部から周方向に続く外周面下端側に形成された縦方向片部であり、
前記第一の設定面は、
前記縦方向片部の内面部分であり、
前記第二の設定面は、
前記縦方向片部の、前記切欠状部に近い方の縦方向側面部分である、
構成態様のものを用いる。
（２）上記（１）において、
前記容器本体は、
前記放出作動用部材が所定の周方向位置関係で組み込まれるネジキャップ（例えば後述のネジキャップ５）と、螺子結合する筒状首部（例えば後述の筒状首部１ｃ）と、
当該螺子結合の最終段階において当該ネジキャップの一部分と当接することにより前記内容物放出口を前向き状態に設定する態様の周方向位置特定部（例えば後述の片側の長径方向側面部分１ｇ）と、を備えた、
構成態様のものを用いる。
【００２０】
このような構成からなる回動カバーキャップ式の内容物放出機構ならびに、この内容物放出機構を備えたポンプ式製品およびエアゾール式製品を本発明の対象としている。
【発明の効果】
【００２１】
本発明は以上の課題解決手段により、内容物放出用開口部を備えたカバーキャップを、その周方向回動操作に基づいて、内容物放出操作不可のロック基準位置および内容物放出操作可のロック解除位置のそれぞれに個別設定する、ための構造部分の簡単化を図ることができる。
【図面の簡単な説明】
【００２２】
【図１】内容物放出操作不可のロック基準位置における回動カバーキャップ式の内容物放出機構の斜視状態を示す説明図である。
【図２】図１の内容物放出機構の各構成要素相互の関連性を示す説明図である。
【図３】図１の内容物放出機構の長径方向の断面状態を示す説明図である。
【図４】図１の内容物放出機構の短径方向の断面状態（図３における「Ｂ−Ｂ'」方向の切断面）を示す説明図である。
【図５】図３の内容物放出機構をそれぞれ異なる高さで前後方向に切断したときの断面状態を示す説明図であり、(a)は「Ｃ‐Ｃ'」方向の切断面を示し、(b)は「Ｄ‐Ｄ'」方向の切断面を示し、(c)は「Ｅ‐Ｅ'」方向の切断面を示している。
【図６】図１の内容物放出機構のカバーキャップを、Ａ方向に回動操作して内容物放出操作可のロック解除位置に設定した状態を示す説明図である。
【図７】図６のロック解除位置においてカバーキャップが下方に押圧操作された内容物放出状態を示す説明図である。
【発明を実施するための形態】
【００２３】
図１〜図７を用いて本発明の実施形態を説明する。
【００２４】
上述したように本発明は、ポンプ式製品およびエアゾール式製品の双方を対象とする回動カバーキャップ式の内容物放出機構であるが、以下の実施形態においては単なる説明の便宜上、原則的にポンプ式製品を前提とする。
【００２５】
なお、以下の説明は概略、「ネジキャップ５」，「吐出弁部材１０」をそれぞれ「マウンティングキャップ」，「ステムガスケット」に置き換え、かつ、ボール弁８および吐出弁部材１０のポンプ作用の記載部分を捨象して周知のガス剤の内容物噴射作用を補えば、エアゾール式製品の場合にも妥当する。
【００２６】
図１〜図７において用いるアルファベット付き参照番号の構成要素（例えば容器本体上面１ａ）は原則として、当該参照番号の数字部分の構成要素（例えば容器本体１）の一部であることを示している。
【００２７】
これらの図において、
１はポンプ式製品の内容物を収納するボトルであって、その前後・横方向の断面が楕円形状からなる容器本体，
１ａは水平平坦面からなる楕円形状の容器本体上面（保持部），
１ｂは当該容器本体上面の環状の縁部分，
１ｃは螺子結合用の外周面を有する態様で容器本体上面１ａの中央部分に形成された筒状首部，
１ｄは当該筒状首部の下端側からその外方向に形成されたスカート状部分，
１ｅは当該スカート状部分の一部であって、容器本体上面１ａの略長径上に位置する反対側部分（筒状首部１ｃの円周方向に略１８０度離間した各位置）に形成された一対の外向き凸状部，
１ｆは当該外向き凸状部それぞれの外端側面に下側ほど内向き傾斜となる態様で形成されたカバーキャップ係合用の外側斜面部分，
１ｇは当該外向き凸状部それぞれの特定側面部分であって、一対の当該外向き凸状部を含む仮想円周上をその上方からみて時計方向（＝螺子結合進行方向）に進んでいく際につきあたる、片側の長径方向側面部分、
をそれぞれ示している。
【００２８】
また、
２はポンプ作動用の操作部材の機能を有してその前後・横方向断面が楕円形状からなり、かつ、容器本体１の上方へ外れることなしに、自外周面が容器本体１の外周面部分といわば面一の関係を保って下方向へのポンプ作動操作が容器本体上面１ａの縁部分１ｂにより阻止されるロック基準位置と、この基準位置から筒状首部１ｃの円周方向に略９０度離間して当該ポンプ作動操作が可能なロック解除位置との間を回動可能なカバーキャップ，
２ａはロック基準位置において容器本体１の縁部分１ｂに合致する周方向下端部分からなる下端面（被保持部），
２ｂは当該カバーキャップの上面部分に形成された押下げ操作用（ポンプ作動操作用）の浅い窪み状の押圧操作面（操作部），
２ｃは当該カバーキャップの内部に、その短径方向のいわば中心面に対する面対称の形で設定された上下方向の一対の平面壁状部，
２ｄは当該平面壁状部間のカバーキャップ長径側周面それぞれの下端部分に、ロック解除位置の当該カバーキャップの下端面２ａが容器本体上面１ａの縁部分１ｂよりも下方のポンプ作動対応位置へと移動できる態様で形成された一対の長方形切欠状部，
２ｅは当該長方形切欠状部の一方におけるカバーキャップ長径方向の例えば前側端部および、当該長方形切欠状部の他方におけるカバーキャップ長径方向の後側端部（＝前側端部とはカバーキャップ長径方向にみて逆側となる端部）のそれぞれに続くカバーキャップ外周面部分から下方に延びる態様で形成されて、当該カバーキャップのロック基準位置およびロック解除位置を選択的に設定するための一対の縦方向片部（位置設定部），
２ｆは当該縦方向片部の内面であって当該カバーキャップのロック基準位置を設定するためのロック基準設定面，
２ｇは当該縦方向片部の縦方向側面であって当該カバーキャップのロック解除位置を設定するためのロック解除設定面，
２ｈは一対の壁状部２ｃの（長方形切欠状部２ｄの上下範囲に相当する）下側対向面部分のそれぞれにその横（幅）方向における中間線（上下方向線）に対して線対称となる態様で形成されて、当該カバーキャップの上方向への抜け防止作用を呈する一対の横方向突状部，
２ｊは当該横方向突状部それぞれの、同じ壁状部２ｃの方の縦方向片部２ｅからみて上記中間線よりも遠い部分に形成されて、容器本体１の長径方向側面部分１ｇとの係合作用により、当該カバーキャップがそのロック基準位置から不用意にロック解除位置へ回動することを防止するための一対の縦方向突状部，
２ｋは当該カバーキャップの天井面から下方に形成されて、当該カバーキャップの上方向への抜け防止作用を呈する垂下筒状部，
２ｍは当該垂下筒状部の下端側内周面に形成されたカバーキャップ抜け防止用の環突状部（被係止部），
２ｎは一つの長方形切欠状部２ｄの前後方向中間部分の上方周面に形成された内容物放出用の単一開口部，
をそれぞれ示している。
【００２９】
また、
３はロック解除位置のカバーキャップ２（押圧操作面２ｂ）の押圧操作により押し下げられてポンプ作動状態を設定する釣鐘状のボタン部材（放出作動部材），
３ａは当該ボタン部材の内部に形成された内容物通路部，
３ｂは当該ボタン部材の上端側であって、それぞれの周方向端部分同士に間隔が存在する態様で形成された計二個の半円状壁部，
３ｃは当該半円状壁部それぞれの外周面に形成されたカバーキャップ係止用の周方向突状部（係止部），
３ｄは後述のピストン７に取り付けられる下内側筒状部，
３ｅは当該ボタン部材の上下動の際の被案内部として作用する下外側筒状部，
３ｆは後述のノズル４が取り付けられる内容物通路部出力側の開口部，
３ｇは当該ボタン部材の内周面における、当該開口部の真下部分（一つ）と、それと反対側の二つの部分との計三箇所（上からみた場合に二等辺三角形を形成する各頂点部分）に形成されて、当該操作ボタンの回動方向の取り付け位置を画定するための縦凹状部，
３ｈは当該ボタン部材の内周面における、当該二等辺三角形の二等辺部分のそれぞれに対応した下端側部分に形成されて、後述のネジキャップ５との上下方向の係止作用（当該ボタン部材の抜け防止作用）を呈する周方向の被係止突状部，
をそれぞれ示している。
【００３０】
また、
４は内容物通路部３ａの出口側に取り付けられたノズル（放出作動部材），
４ａは内容物放出口，
５はボタン部材３や後述の周知の各種ポンプ機構要素を組み込んだ状態で容器本体１の筒状首部１ｃの外周面螺子部分に取り付けられる筒状のネジキャップ，
５ａは当該ネジキャップの下側内周面に形成されて筒状首部１ｃの外周面と螺子結合する螺子部分，
５ｂは当該ネジキャップの下端底面の周方向反対側部分（略１８０度離間した部分）の二箇所に形成されて、容器本体１の長径方向側面部分１ｇと当接することにより筒状首部１ｃとの当該ネジキャップの螺合最終状態（＝内容物放出口４ａの向き）を画定する一対の下向き突状部，
５ｃはボタン部材３の三個の縦凹状部３ｇのそれぞれと対応するように当該ネジキャップの外周面上側部分に形成された回動方向位置決め用の縦凸状部，
５ｄはボタン部材３の組込み後にその被係止突状部３ｈの上側部分と係合して当該ボタン部材の上方向への抜けを阻止できる態様で、当該ネジキャップの外周面上端部分に形成された一対の周方向の係止突状部，
５ｅは後述のハウジング６の保持作用やピストン７の案内作用を呈する内側筒状部，
をそれぞれ示している。
【００３１】
また、
６は周知のポンプ機構要素であって、ネジキャップ５の下側の環凹状部（内側筒状部５ｅの外側周回部分）に嵌合し、自内部空間域に次回の放出対象内容物を貯留するためのシリンダ（ハウジング），
７は周知のポンプ機構要素であって、下側部分がシリンダ６の内部に配設され、上端側部分がボタン部材３の下内側筒状部３ｄに嵌合するピストン（ステム），
７ａは内容物通過用の横孔部，
７ｂは上下方向の内容物通路部，
８は周知のポンプ機構要素であって、シリンダ６の下側内部に配設されたボール弁（吸込弁），
９は周知のポンプ機構要素であって、ボール弁８の上方空間域に設けられてピストン７を上方向に付勢するコイルスプリング，
１０は周知のポンプ機構要素であって、カバーキャップ２の内容物放出用の押下げ操作にともなうシリンダ６の内容物圧力の増加に応じてシリンダ内部と横孔部７ａとの間を連通状態に設定する機能を備えた環状の吐出弁部材，
１１は周知のポンプ機構要素であって、ネジキャップ５などをシリンダ６に組み込んだ状態で特定される、このネジキャップおよびシリンダの両者にまたがる環状の天井部分に係合態様で取り付けられた環状シール部材，
１２は周知のポンプ機構要素であって、シリンダ６の下端側筒状部に取り付けられた内容物吸込み用のディップチューブ，
Ａはポンプ作動操作が阻止されるロック基準位置のカバーキャップ２をそのロック解除位置、すなわちポンプ作動操作可の位置まで周方向に移行させるときの回動操作方向（図６参照），
をそれぞれ示している。
【００３２】
ここで、容器本体１，カバーキャップ２，ボタン部材３，ノズル４，ネジキャップ５，シリンダ６，ピストン７，吐出弁部材１０およびディップチューブ１２は、ポリプロピレン，ポリエチレン，ポリアセタール，ナイロン，ポリブチレンテレフタレートなどからなるプラスチック製のものである。
【００３３】
また、ボール弁８およびコイルスプリング９はプラスチック製や金属製のものであり、環状シール部材１１はゴム製やプラスチック製のものである。
【００３４】
また、エアゾール式製品における容器本体は金属製やガラス製のものであり、マウンティングキャップは金属製のものであり、ステムガスケットはゴム製やプラスチック製のものである。
【００３５】
図示のポンプ式製品の場合、少なくともその最終組立ての前段階では、容器本体１およびカバーキャップ２の両者を除く形のポンプユニット、すなわちボタン部材３，ノズル４，ネジキャップ５，シリンダ６，ピストン７，ボール弁８，コイルスプリング９，吐出弁部材１０，環状シール部材１１およびディップチューブ１２の各構成要素からなる単一アセンブリが設定されている。
【００３６】
そして例えば、このポンプユニットのネジキャップ５を容器本体１の筒状首部１ｃに螺子結合させてから、カバーキャップ２を、容器本体１の外側斜面部分１ｆおよびボタン部材３（半円状壁部３ｂ）の周方向突状部３ｃにロック基準位置の状態で取り付けることにより、ポンプ式製品の全体が組み立てられる。
【００３７】
図示のカバーキャップ回動式の内容物放出機構（ポンプ作動機構）の基本的特徴は、
(31)ポンプ作動用の押圧操作面２ｂが備わっているカバーキャップ２を、容器本体１の側に、その上方向へ抜けることなしに回動可能な形で取り付け、
(32)カバーキャップ２の下端面２ａの全体が容器本体１の縁部分１ｂに当接して押圧操作面２ｂの押下げ操作ができない状態である、カバーキャップ２のロック基準位置を、容器本体１（外周面）とロック基準設定面２ｆとの係止作用および、長径方向側面部分１ｇと縦方向突状部２ｊとの係止作用により保持し（図１，図３，図５参照）、
(33)このロック基準位置に保持されたカバーキャップ２を容器本体１に対してＡ方向に９０度ほど回動させることにより、当該カバーキャップはその長方形切欠状部２ｄが容器本体１の短径方向部分をいわば跨ぐ形のロック解除位置へと変位し（図６参照）、
(34)このロック解除位置のカバーキャップ２の押圧操作面２ｂを利用者が押し下げることにより、当該カバーキャップと一体のボタン部材３およびピストン７がコイルスプリング９の弾性力に抗しながら下動して周知のポンプ作動状態へと移行する（図７参照）、
ことである。
【００３８】
なお上記(33)の、ロック基準位置に保持されたカバーキャップ２を容器本体１に対してＡ方向に９０度ほど回動させる際、当該容器本体の長径方向側面部分１ｇと当該カバーキャップの縦方向突状部２ｊとの各係止作用部分はいわば弾性変形する。
【００３９】
この弾性変形作用により、カバーキャップ２の縦方向突状部２ｊが容器本体１の長径方向側面部分１ｇを乗り越える。
【００４０】
また、カバーキャップ２のＡ方向への回動操作途中の上下方向位置は、下端面２ａと容器本体上面１ａとの当接作用や、カバーキャップ２の環突状部２ｍとボタン部材３の周方向突状部３ｃとの係止作用によって保持される（図３，図４参照）。
【００４１】
ロック解除位置では、カバーキャップ２（縦方向片部２ｅ）のロック解除設定面２ｇが容器本体１の外周面（＝ロック基準位置のときとは異なる外周面部分）に当接している。そのため、当該ロック解除位置のカバーキャップ２がさらにＡ方向へ回動することはない（図６，図７参照）。
【００４２】
カバーキャップ２のＡ方向への回動操作自体は、ボタン部材３の半円状壁部３ｂのそれぞれにいわば案内される。
【００４３】
なお、図示の容器本体１およびカバーキャップ２の場合の縦方向片部２ｅはそれぞれ、ロック基準位置の仮想平面状態において、容器本体上面１ａの前後方向の直線に対し筒状首部１ｃの中心（＝ボタン部材３，ネジキャップ５それぞれの中心）からみてＡ方向に略４５度傾斜した線上に位置している。
【００４４】
また、ロック基準位置のカバーキャップ２をＡ方向に９０度ほど回動操作したロック解除位置の縦方向片部２ｅはそれぞれ、容器本体上面１ａの前後方向の直線に対し筒状首部１ｃなどの中心からみて逆Ａ方向に略４５度傾斜した線上に位置している。
【００４５】
すなわち、上記Ａ方向の傾斜角度がαのとき、カバーキャップ２のロック基準位置からロック解除位置までのＡ方向への回動操作角度は略「１８０−２α」度に設定される。
【００４６】
カバーキャップ２の押圧操作面２ｂの押下げ操作時の、上記(34)のポンプ作動のプロセスは概略次の通りである。
【００４７】
すなわち、ピストン７の下動にともない、
(41)シリンダ６の内部における吐出弁部材１０とボール弁８との間のシリンダ内部空間域の容積が減少して、そこでの内容物の圧力が増加し、
(42)この圧力増加により、ピストン７と吐出弁部材１０との間の弁作用部がそれまでの閉状態から開状態へと変化し、
(43)上記(41)の内部空間域に貯留済みの内容物が上記(42)の開状態の弁作用部から「横孔部７ａ−内容物通路部７ｂ，３ａ−ボタン部材３の横方向円柱状部とその周りのノズル４との周知の隙間部分−内容物放出口４ａ」を経て外部空間域に放出される。
【００４８】
利用者が、このピストン７の下動状態で不用意にカバーキャップ２を元の位置に戻すような回動操作（Ａ方向とは逆方向への回動操作）へ移行しようとしても、当該カバーキャップの長方形切欠状部２ｄの前後方向端部（縦方向縁部）の中、縦方向片部２ｅが形成されていない方の端部が容器本体１の外周面にあたってしまい、このＡ方向とは逆方向への誤操作が行われることはない。
【００４９】
そして、カバーキャップ２の押圧操作面２ｂの押下げ操作が終了すると、ピストン７，ボタン部材３およびカバーキャップ２が一体となってコイルスプリング９の弾性力により上方向に復帰する。
【００５０】
この周知の復帰動作にともない、ピストン７と吐出弁部材１０との間の弁作用部が閉状態に移行し、かつ、当該吐出弁部材とボール弁８との間のシリンダ内部空間域の容積が増加してそこでの内容物圧力が容器本体１のそれよりも小さくなる。
【００５１】
そのため、ボール弁８が開いて容器本体１の内容物がディップチューブ１２を介して当該シリンダ内部空間域に流入する。この流入内容物は次回の放出対象である。
【００５２】
このシリンダ内部空間域への内容物流入にともなう容器本体１の内部圧力減少を補填するため、外気が周知のいわば専用径路（図示省略）を経て容器本体内部へと流入する。
【００５３】
そして、上方向に復帰したカバーキャップ２をＡ方向とは逆方向に回動させることにより、当該カバーキャップおよび容器本体１の位置関係は図１の初期状態へと戻る。
【００５４】
本発明が図示の内容に限定されないことは勿論であり例えば、
(51)押下げ式で上下動タイプのボタン部材３に代えて、傾動タイプ，チルトタイプのボタン部材を用いる、
(52)ネジキャップ５の突状部５ｂを省略し、容器本体１の筒状首部１ｃに対する当該ネジキャップの螺子結合状態（回動状態）を、ボタン部材３（ノズル４）の内容物放出口４ａが前向きとなる位置に設定する、
(53)容器本体上面１ａが、図示のように縁部分１ｂと同じ高さからなる水平平坦面ではではなく、縁部分１ｂより低い形の窪み状面部分からなっている場合に、
カバーキャップ２の長方形切欠状部２ｄの代わりに、内容物放出操作可のロック解除位置（図６参照）のとき、この窪み状面部分からみていわば環状起立壁といえる縁部分に対向するカバーキャップ下端側部分（≒当該長方形切欠状部の前後方向両側の各立ち上がり部分）のみに、当該縁部分が入り込む上下方向の（図示の場合は計四個の）切欠状部を形成する、
ようにしてもよい。
【００５５】
本発明が適用されるポンプ式製品およびエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５６】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼイン，ヒドロキシエチルセルロース，キサンタンガム，カルボキシビニルポリマーなどを用いる。
【００６２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６３】
さらに、上記内容物以外の、懸濁剤，紫外線吸収剤，乳化剤，保湿剤，酸化防止剤、金属イオン封鎖剤なども用いることができる。
【００６４】
エアゾール式製品における噴射用ガスとしては、炭酸ガス，亜酸化窒素ガス，窒素ガス，圧縮空気，酸素ガス，希ガス，これらの混合ガスなどの可溶性圧縮ガス，圧縮ガスや、液化石油ガス，ジメチルエーテル，フロロカーボンなどの液化ガスを用いる。
【符号の説明】
【００６５】
１：容器本体
１ａ：容器本体上面（保持部）
１ｂ：環状の縁部分
１ｃ：筒状首部
１ｄ：スカート状部分
１ｅ：一対の外向き凸状部
１ｆ：カバーキャップ係合用の外側斜面部分
１ｇ：片側の長径方向側面部分
【００６６】
２：カバーキャップ
２ａ：下端面（被保持部）
２ｂ：浅い窪み状の押圧操作面（操作部）
２ｃ：上下方向の一対の平面壁状部
２ｄ：一対の長方形切欠状部
２ｅ：一対の縦方向片部（位置設定部）
２ｆ：ロック基準設定面
２ｇ：ロック解除設定面
２ｈ：一対の横方向突状部
２ｊ：一対の縦方向突状部
２ｋ：垂下筒状部
２ｍ：環突状部（被係止部）
２ｎ：単一開口部
【００６７】
３：釣鐘状のボタン部材（放出作動部材）
３ａ：内容物通路部
３ｂ：計二個の半円状壁部
３ｃ：周方向突状部（係止部）
３ｄ：下内側筒状部
３ｅ：下外側筒状部
３ｆ：内容物通路部出力側の開口部
３ｇ：縦凹状部
３ｈ：周方向の被係止突状部
【００６８】
４：ノズル（放出作動部材）
４ａ：内容物放出口
５：筒状のネジキャップ
５ａ：螺子部分
５ｂ：一対の下向き突状部
５ｃ：縦凸状部
５ｄ：一対の周方向の係止突状部
５ｅ：内側筒状部
【００６９】
６：シリンダ（ハウジング）
７：ピストン（ステム）
７ａ：横孔部
７ｂ：上下方向の内容物通路部
８：ボール弁（吸込弁）
９：コイルスプリング
１０：環状の吐出弁部材
１１：環状シール部材
１２：ディップチューブ
Ａ：ロック解除位置への回動操作方向（図６参照）
【図１】
0005713260.tif 000002
【図２】
0005713260.tif 000003
【図３】
0005713260.tif 000004
【図４】
0005713260.tif 000005
【図５】
0005713260.tif 000006
【図６】
0005713260.tif 000007
【図７】
0005713260.tif 000008